(57)【要約】【課題】遠距離から近距離まで情報が見え易い乗客コンベヤの表示装置を得る。また、外光に照射されても、表示内容を容易に確認することができる乗客コンベヤの表示装置を得る。【解決手段】乗客コンベヤの上記デッキボード５の湾曲部５ａに湾曲した表示面を形成して情報を表示するようにして、遠方から近距離まで利用客８ａの位置に対応した曲面を正面で目視することができるようにしたものである。また、表示素子１２を縦横に配置し、縦方向に隣接する表示素子１２相互を衝立１３で仕切って表示素子が外光に晒されるのを阻止するようにしたものである。【選択図】        図２
2004250125.tif 000002
【特許請求の範囲】
【請求項１】
一方の乗降口と他方の乗降口の間を循環する踏段と同期して循環して上記乗降口付近で下方へ湾曲する移動手摺に沿って設置されて上記乗降口付近で湾曲するデッキボードを備えた乗客コンベヤの運転に関する情報を表示する表示装置において、上記デッキボードの上記湾曲部に取り付けられて湾曲した表示面に上記情報を表示するようにした乗客コンベヤの表示装置。
【請求項２】
デッキボードの湾曲部に合せて湾曲させた基板に表示素子を水平方向へ横並びに配置し、この横並びにされた一連の表示素子群を縦列に配置して表示面を構成し、上記表示素子を選択的に作動させることにより情報を表示するようにしたことを特徴とする請求項１に記載の乗客コンベヤの表示装置。
【請求項３】
表示素子を異なる色を発する複数種類からなるものとし、上記表示素子を上記種類に応じて所定の順に水平方向へ横並びに配置し、この横並びにされた一連の表示素子を縦列に配置して表示面を構成したことを特徴とする請求項２に記載の乗客コンベヤの表示装置。
【請求項４】
縦方向に隣接する表示素子相互を仕切る衝立を基板に立設したことを特徴とする請求項２に記載の乗客コンベヤの表示装置。
【請求項５】
衝立の基板からの立上り寸法を、不均一にしたことを特徴とする請求項４に記載の乗客コンベヤの表示装置。
【請求項６】
各衝立を、一の水平線へ向けて傾斜させて基板に取り付けたことを特徴とする請求項４に記載の乗客コンベヤの表示装置。
【請求項７】
各衝立を基板に枢着して傾斜角を変化させることができるようにしたことを特徴とする請求項４に記載の乗客コンベヤの表示装置。
【発明の詳細な説明】
【０００１】
【発明の属する技術分野】
この発明は、エスカレータ及び動く歩道等の乗客コンベヤの運転に係る情報を表示する装置に関するものである。
【０００２】
【従来の技術】
乗客コンベヤの表示装置として、例えば、利用客が少ない個所に設置されるエスカレータでは、無人状態で運転されるのを避けるため、利用客があるときのみ運転し、利用客がいないときは停止状態で待機させる自動運転が採用されている。従来の自動運転では、待機中のエスカレータに逆方向の利用客が乗り込むのを防止するため、乗降口に表示装置が立設されていた。
例えば、乗客の通路幅を隔てて対設された信号発信筒の所定部分に表示窓を形成して「上り専用」又は「下り専用」等の表示をしていた（例えば特許文献１参照）。
また、踏段と移動手摺の間の欄干に仕切板からなる表示装置を立設して乗客コンベヤの利用上の情報を表示していた（例えば特許文献２参照）。
【０００３】
【特許文献１】
特開平４−３０８１８５号公報（段落番号２３から２６、図２、図１０）
【特許文献２】
特開昭６０−４０３９１号公報（第３頁、図６）
【０００４】
【発明が解決しようとする課題】
従来の乗客コンベヤの表示装置は上記のとおり、情報を表示する表示部が水平面に対して垂直に立設されていた。このため、乗客コンベヤへ接近するに従って表示装置を斜めから見ることになって情報が見え難い、という問題があった。
また、乗客コンベヤの表示装置は、乗客コンベヤの位置によって設置位置が決定される。このため、室内照明によって照らされて表示内容が見え難くなる場合があった。特に、乗客コンベヤが屋外に設置され、表示面が太陽光に晒される場合は表示内容が分らない、という問題もあった。
更に、乗客コンベヤの乗降口の移動手摺は曲面を形成している。この部分に柱状又は平面状の表示装置を設置することは、意匠上馴染まない、という問題もあった。
更にまた、利用客の通路の路側に表示装置を立設すると通行を阻害する、という問題もあった。
【０００５】
この発明は、上記問題点を解決するためになされたもので、遠距離から近距離まで情報が見え易い乗客コンベヤの表示装置を得ることを目的とする。
また、室内照明によって照射されても、屋外で太陽に晒される場所に設置されても、表示内容を容易に認識することができる乗客コンベヤの表示装置を得ることを目的とする。
更に、利用客の交通を阻害することのない乗客コンベヤの表示装置を得ることを目的とする。
更にまた、乗客コンベヤと一体的にして意匠性を向上させた表示装置を得ることを目的とする。
【０００６】
【課題を解決するための手段】
この発明に係る乗客コンベヤの表示装置は、一方の乗降口と他方の乗降口の間を循環する踏段と同期して循環して乗降口付近で下方へ湾曲する移動手摺に沿って乗降口付近で湾曲するデッキボードを備えた乗客コンベヤの上記デッキボードの湾曲部に湾曲した表示面を形成して情報を表示するようにしたものである。
【０００７】
また、デッキボードの湾曲部に合せて湾曲させた基板に表示素子を縦横に配置し、縦方向に隣接する表示素子相互を衝立で仕切って表示素子が外光に晒されるのを阻止するようにしたものである。
【０００８】
【発明の実施の形態】
実施の形態１．
図１から図６は、この発明の実施の形態１を示し、特に、表示装置１０を乗客コンベヤであるエスカレータに取り付けた場合を例示する。
図１は、下方乗降口１と上方乗降口２の間に跨設されたエスカレータの正面図で、両乗降口１、２間を踏段３が循環し、この踏段３と同期して移動手摺４が循環する。この移動手摺４は両乗降口１、２付近、つまりニューアル部分で下方へ湾曲して手摺湾曲部４ａを形成している。移動手摺４と外側板６の間はデッキボード５で仕上げられている。このデッキボード５は移動手摺４に沿って乗降口１、２付近で湾曲してデッキボード湾曲部５ａを形成している。デッキボード湾曲部５ａには、表面がデッキボード湾曲部５ａの湾曲面に合せて湾曲した表示装置１０が嵌め込まれていて、エスカレータに関する情報が表示されるようになっている。
【０００９】
図２は、表示装置１０の正面図で、図１と同符号は同一部分を示す。表示装置１０の基板１１はデッキボード５の湾曲に合せて湾曲し、表面に表示素子１２が縦横に取り付けられている。縦方向に隣接する表示素子１２相互の間には、水平方向へ向けて衝立１３が基板１１に立設されており、更に、前面が透明な曲面カバー１４によって覆われている。
表示素子１２に表示するエスカレータに関する情報は、メッセージ記録手段１９に記録されていて、読取手段１８によって読み取られた情報に基いて駆動手段１７が表示素子１２を選択的に駆動することによって情報を表示するようになっている。
【００１０】
図３は、図２のＩＩＩ−ＩＩＩ線断面を矢視した断面図で、図１及び図２と同符号は同一部分を示す。
表示素子１２は、最上位に第１行表示素子群１２が基板１１の外側面に水平方向へ向けて列設され、以下、順に最下位の第１３行表示素子群１２まで列設されている。
衝立１３は、第１行表示素子群１２の上位に第１衝立１３が立設され、第１行表示素子群１２と第２行表示素子群１２の間に第２衝立１３が立設され、以下、順に最下位の第１３行表示素子群１２の下位に第１４衝立１３が立設されている。
曲面カバー１４はデッキボード湾曲部５ａと同じ曲率で湾曲し、基板１１の外側面と同心の円弧を形成している。
【００１１】
従って、第１行表示素子群１２は、第１衝立１３と第２衝立１３に遮られて上限線Ｕ１と下限線Ｄ１の間の空間へ向けて発光する。以下同様に、第１３行表示素子群１２は、第１３衝立１３と第１４衝立１３に遮られて、上限線Ｕ１３と下限線Ｄ１３の間の空間へ向けて発光する。
従って、空間Ｚ１０では、第４行表示素子群１２の下限線Ｄ４と、第１１行表示素子群１２の上限線Ｕ１１によって挟まれているので、その間の表示素子群１２、即ち、第５行から第１０行迄の６行分の表示素子群１２を目視することができる。他の空間についても同様であって、図示の数値の行数分の表示素子群１２をそれぞれの空間で目視することができる。
【００１２】
一方、外光０が図示の方向から照射すると、各衝立１３が外光０を阻止するので、いずれの表示素子群１２も外光０に照射されることはない。
外光１が図示の方向から照射すると、第１行表示素子群１２は照射されるが、第２行から第１３行表示素子群１２は、第２衝立１３から第１３衝立１３によって阻止されるので、いずれも照射されることはない。
また、外光８が図示の方向から照射したとし、この外光８が水平面となす俯角をα８とする。また、第９行表示素子群１２の上限線Ｕ９が水平面となす俯角をβ９とする。ここで、俯角α８＞俯角β９の関係が成り立ち、外光８は第９衝立１３に阻止される。このため、第９行表示素子群１２が外光８に照射されることはない。
以下同様であって、第９行から第１３行表示素子群１２は、外光０から外光８のいずれにも照射されることはない。
【００１３】
図４は、利用客８ａ、８ｂ及び８ｃと表示装置１０の関係を示すエスカレータの側面図で、図中、図１から図３と同符号は同一部分を示す。
利用客８ａは表示装置１０から距離Ｐａの位置にあり、図５に示したとおり、第５行から第１３行表示素子群１２は目視することができるが、第１行から第４行表示素子群１２は、衝立１３に阻止されて目視することができない。
利用客８ｂは表示装置１０から近接した距離Ｐｂの位置にあり、図６に示したとおり、第１行から第９行表示素子群１２は目視することができるが、第１０行から第１３行表示素子群１２は、衝立１３に阻止されて目視することができない。
子供のように視線が低位の利用客８ｃであっても、表示装置１０からの位置によって、大人の利用客８ａ、８ｂと同様の範囲で表示素子１２を目視することができる。
【００１４】
図５は、利用客８ａが図４の距離Ｐａから表示装置１０を目視したときの表示状態を示し、第５行から第１３行表示素子群１２を正面で目視することができる。この結果、表示素子１２は選択的に点灯して上り方向の矢印を表示しており、利用客８ａは上記表示を距離Ｐａの位置で認識することができる。
【００１５】
図６は、利用客８ｂが図４の距離Ｐｂから表示装置１０を目視したときの表示状態を示し、第１行から第９行表示素子群１２を正面で目視することができる。
この結果、利用客８ｂは距離Ｐｂの位置からエスカレータは上り方向の運転であることが分かる。
利用客８ｃについても同様で、表示装置１０からの距離Ｐｃから前方へ所定の範囲に亙って表示素子１２を正面で目視することができる。
【００１６】
上記実施の形態１によれば、デッキボード湾曲部５ａに合せて湾曲させた基板１１の表面に表示素子１２を縦横に配列してデッキボード湾曲部５ａに取り付けてエスカレータの運転情報を表示するようにしたので、遠方の距離Ｐａから近距離Ｐｂまで、利用客の位置に対応した表示曲面を正面で目視することができ、表示内容が分り易くなった。
また、縦方向に隣接する表示素子群１２相互を仕切る衝立１３を基板に立設したので、表示装置１０が外光に晒されたとしても、その照射角によっては衝立１３によって阻止されるので、表示内容を認識することができる。
更にまた、表示装置１０はエスカレータの構成要素であるデッキボード湾曲部５ａに組み込まれたので、エスカレータと一体的となり、表示装置１０の意匠性を向上させることができた。また、また、デッキボード湾曲部５ａに組み込みこまれたので、利用客８ａの交通を阻害することもない。
【００１７】
実施の形態２．
図７は、この発明の実施の形態２を示す。この実施の形態２における表示装置２０は、基板１１からの衝立２３の立上り寸法を不均一にしたものである。
即ち、図中、図１から図６と同符号は、同一部分を示し、第１から第４及び第９から第１４衝立２３までは基板１１からの立上り寸法が図３と同様均一であるが、第５衝立２３から第８衝立２３までは突出している。即ち、第５衝立２３は最も突出し、以下順に減少して第８衝立２３に至る。
このため、第５行表示素子群１２の上限線Ｕ５が水平面となす俯角β５′は、外光８が水平面となす俯角をα８よりも小さくなる。即ち、俯角α８＞β５′となり、外光８は第５衝立２３に阻止されて第５行表示素子群１２を照射することはない。
【００１８】
第６行から第８行表示素子群１２も同様であって、上限線Ｕ６からＵ８が水平面となす俯角β６′からβ８′は、何れも俯角α８よりも小さい。このため、外光８は第６衝立２３から第８衝立２３に阻止されて第６行から第８行表示素子群１２を照射することはない。
なお、第９行から第１３行表示素子群１２は、実施の形態１と同様であって、外光０から外光８のいずれにも照射されることはない。
【００１９】
上記実施の形態２によれば、第５衝立２３から第８衝立２３までを突出させたので、第５行から第１３行まで広い範囲に亙って外光に晒されることなく情報を表示することができる。
【００２０】
実施の形態３．
図８は実施の形態３を示す。この実施の形態３は、各衝立３３を一の水平線Ｐ１へ向けて傾斜させて基板１１に取り付けたものである。また、各行の表示素子群３２も同様に表示面を水平線Ｐ１へ向けて基板１１に取り付けられている。即ち、表示素子群３２は、その中心線Ｃ１からＣ１３が一の水平線Ｐ１で交わるように基板１１に取り付けられる。
従って、第１行表示素子群３２の下限線Ｄ１と第１３行表示素子群３２の上限線Ｕ１３とが交差する位置Ｐ２が全ての表示素子群３２を目視できる限界の近地点であって、この位置Ｐ２よりも遠方の範囲では、水平線Ｐ１を含めて、全ての表示素子群３２を目視することができる。
【００２１】
一方、外光に対しては、第３表示素子群３２の上限線Ｕ３が水平面となす俯角β３″及び第９表示素子群３２の上限線Ｕ９が水平面となす俯角β９″は、共に外光８が水平面となす俯角α８よりも小さい。従って、第１行表示素子群３２から第３行表示素子群３２まで、及び第９行表示素子群３２から第１３行表示素子群３２までは、外光８に晒されることはない。外光８から外光７更に外光０へ移行するに従って俯角が増大する。このため、外光に晒される表示素子群３２は徐々に減少する。
【００２２】
上記実施の形態３によれば、各衝立３３を一の水平線Ｐ１へ向けて傾斜させて基板１１に取り付けたので、位置Ｐ２よりも遠方では全ての表示素子群３２を目視することができ、表示された情報内容は分り易くなる。
【００２３】
実施の形態４．
図９及び図１０は、この発明の実施の形態４を示す。この実施の形態４における表示装置４０は、衝立４３を基板１１に枢着して傾斜角を変化させるようにしたものである。図中、図１から図６と同符号は、同一部分を示す。
基板１１の両側には側板４４がねじ４５によって取り付けられている。この側板４４には、円弧状の長穴４４ａが各衝立４３に対応させて穿設されている。
また、縦方向に隣接する表示素子群１２の間には頭部が球状のピン４２が基板１１に立設されていて、衝立４３の底部がピン４２の頭部に枢着されている。このため、衝立４３は底部を支点として上下に揺動して傾斜するようになっている。
更に、衝立４３の左右の側面には、水平方向へスタッドボルト４６が突設されており、このスタッドボルト４６は長穴４４ａを貫通してナット４７に螺合し、衝立４３を側板４４に固定している。従って、長穴４４ａの範囲内で衝立４３を上下に傾斜させた後固定することができる。
【００２４】
上記実施の形態４によれば、衝立４３を傾斜させることができるので、エスカレータを据え付けた後に周囲の外光状況に適合させて衝立４３を傾斜させることにより、表示素子１２が外光に晒されるのを阻止することができる。
【００２５】
実施の形態５．
図１１及び図１２は、この発明の実施の形態５を示す。図中、図１から図６と同符号は、同一部分を示す。この実施の形態５における表示装置５０は、各行の表示素子群５２を異なる表示素子で構成したもので、例えば緑色表示素子５２ａと、赤色表示素子５２ｂとを水平方向へ交互に配置したものである。
このため、表示素子群５２が二種類の表示素子５２ａ及び５２ｂで構成されるものであっても、上限線Ｕと下限線Ｄとがなす角度δは、上記実施の形態１におけると同様になる。
このため、上記実施の形態１と同様に表示素子５２が外光に晒されるのを阻止することができる。
【００２６】
【実施例】
上記実施の形態１から５で開示した構成要素に替る他の構成要素を、以下、実施例として述べる。
実施例１．
上記実施の形態１から５では、縦方向に隣接する表示素子群１２、３２及び５２相互を衝立１３、２３、３３及び４３で仕切るものとしたが、これに限られるものではなく、例えば室内照明程度であれば上記衝立１３、２３、３３及び４３はなくてもよいものである。これにより、衝立１３、２３、３３及び４３による視野の阻害がないので、更に見易い表示装置を得ることができる。
【００２７】
実施例２．
上記実施の形態１から５では、湾曲させた基板１１に表示素子１２を縦横に配設して湾曲した表示面を構成したが、これに限られるものではなく、衝立１３、２３、３３及び４３を必要としない表示装置にあっては、液晶等で表示面を一体構成としてもよい。これにより、同様に見易い表示装置を得ることができる。
実施例３．
上記実施の形態１では、図５及び図６に示したとおり、表示素子１２によって矢印を表示するものとしたが、これに限られるものではなく、進入禁止の表示であってもよく、また、表示内容をスクロールさせてもよい。
実施例４．
上記実施の形態１から４では、乗客コンベヤとしてエスカレータを例示したが、動く歩道であってもよい。
【００２８】
【発明の効果】
この発明に係る乗客コンベヤの表示装置は以上説明したように、一方の乗降口と他方の乗降口の間を循環する踏段と同期して循環して乗降口付近で下方へ湾曲する移動手摺に沿って乗降口付近で湾曲するデッキボードを備えた乗客コンベヤの上記デッキボードの湾曲部に湾曲した表示面を形成して情報を表示するようにしたものである。
このため、遠方から近距離まで利用客の位置に対応した曲面を正面で目視することができるので表示内容が分り易い、という効果を奏する。
【００２９】
また、デッキボードの湾曲部に合せて湾曲させた基板に表示素子を縦横に配置し、縦方向に隣接する表示素子相互を衝立で仕切るようにしたものである。これにより、表示素子が外光に晒されるのを阻止することができるので、表示内容が分り易い、という効果を奏する。
【図面の簡単な説明】
【図１】この発明の実施の形態１における表示装置を取り付けたエスカレータの正面図。
【図２】この発明の実施の形態１における表示装置の正面図。
【図３】図２のＩＩＩ−ＩＩＩ線断面を矢視した断面図。
【図４】利用客と表示装置の関係を示すエスカレータの側面図。
【図５】遠距離から目視したときの表示装置の正面図。
【図６】近距離から目視したときの表示装置の正面図。
【図７】この発明の実施の形態２における表示装置の断面図。
【図８】この発明の実施の形態３における表示装置の断面図。
【図９】この発明の実施の形態４における表示装置の一部を示す正面図。
【図１０】図９のＸ−Ｘ線断面を矢視した断面図。
【図１１】この発明の実施の形態５における表示装置の一部を示す正面図。
【図１２】図１１のＸＩＩ−ＸＩＩ線断面を矢視した断面図。
【符号の説明】
１  下方乗降口、  ２  上方乗降口、  ３  踏段、  ４  移動手摺、  ４ａ  手摺湾曲部、  ５  デッキボード、  ５ａ  デッキボード湾曲部、  ６  外側板、  ８ａ  利用客、  ８ｂ  利用客、  ８ｃ  利用客、  １０  表示装置、  １１  基板、  １２  表示素子、  １３  衝立、  １４  曲面カバー、  ２０  表示装置、  ２３  衝立、  ３０  表示装置、  ３２  表示素子、  ３３  衝立、４０  表示装置、  ４２  ピン、  ４３  衝立、  ４４  側板、  ４４ａ  長穴、  ４５  ねじ、  ４６  スタッドボルト、  ４７  ナット、  ５０  表示装置、  ５２  表示素子、  ５２ａ  緑色表示素子、  ５２ａ  赤色表示素子。
【図１】
2004250125.tif 000003
【図２】
2004250125.tif 000004
【図３】
2004250125.tif 000005
【図４】
2004250125.tif 000006
【図５】
2004250125.tif 000007
【図６】
2004250125.tif 000008
【図７】
2004250125.tif 000009
【図８】
2004250125.tif 000010
【図９】
2004250125.tif 000011
【図１０】
2004250125.tif 000012
【図１１】
2004250125.tif 000013
【図１２】
2004250125.tif 000014